(57)【特許請求の範囲】
【請求項１】
壁面に取り付けられ、端部に延出部が設けられた背板と、
この背板の前面を覆い、前記背板の延出部部分を延出部の板厚で切り欠いた切欠凹部と該切欠凹部以外の切り欠き残された筐体端部とを側板に有する筐体と、
前記筐体を回動可能に前記背板と前記筐体とを連結する蝶番であって、前記筐体の側板の内側の切欠凹部近傍に固定された第１の蝶番板と前記背板の前面の延出部近傍に取り付けられた第２の蝶番板とを有し、前記側板の切欠凹部の外縁が前記延出部の上面を摺動することにより、前記筐体を前記背板に対して回動させる蝶番と、
前記背板と前記筐体とを閉止状態に保持する固定手段と、
で構成され、
前記筐体が、前記筐体の閉止状態で、前記延出部を除いて前記背板の縁の全周を前記壁面との間の隙間が無い状態で覆い隠す操作盤であって、
前記蝶番は、前記第２の蝶番板のねじ孔を前記背板に垂直に立てられたビスに挿通したものであって、前記筐体の開放過程で前記筐体が前記壁面に干渉しないように、前記ビスへのナットの固定位置によって、前記第２の蝶番板に前記背板の板厚方向に遊びを設けたものであり、
前記背板は、前記筐体を全開させるとき、前記側板の筐体端部の縁に衝突することのない位置に、前記蝶番側の縁が退いて設けられているものである
ことを特徴とする操作盤。
【請求項２】
前記背板と前記第２の蝶番板との間に、前記筐体を開く過程で前記筐体を押し上げる弾性体を介在させたことを特徴とする請求項１記載の操作盤。
【発明の詳細な説明】
【０００１】
【発明の属する技術分野】
この発明は、操作盤の開閉構造に関し、特に背板を有しこの背板を覆う筐体の開閉構造についての操作盤に関するものである。
【０００２】
【従来の技術】
この発明における従来の操作盤は、背板と、この背板の前面を覆う箱状の筐体とで構成され、かつ、背板の前面に搭載された各種部品と、筐体に取り付けられたディスプレー装置や操作スイッチなどの多数の部品とは、背板と筐体の内側に亘る配線束によりそれぞれ接続されて構成されている。そして、背板に形成された取り付け機構により壁面などに取り付けられている。
【０００３】
操作盤は点検や設定変更等により時折筐体を開く必要があるが、筐体と背板とに亘る上記配線束があるため、背板と筐体は分離できずに蝶番で連結されており、背板と筐体とは、別途ねじなどの固定手段で閉止固定している。
【０００４】
【発明が解決しようとする課題】
このような操作盤は、通常の状態つまり筐体を閉じた状態では、背板の縁が外面から見えるので、また蝶番を外側で連結した場合にはその蝶番が見えるので、これが目障りなため、蝶番を内部に配置するとともに背板の縁の全周を筐体で囲って隠すことが考えられる。
【０００５】
しかし、背板の縁の全周を筐体で囲って隠した上で、操作盤内部の蝶番により筐体を開こうとすると、筐体の蝶番側の縁と背板の取り付け壁面、及び筐体の蝶番側の縁と背板の蝶番側の縁が互いに干渉して衝突し合うため、筐体の蝶番側の縁に壁面に対する逃げ寸法あるいは背板の蝶番側の縁に筐体に対する逃げ寸法をとる必要があった。その結果、その筐体の逃げ寸法がそのまま筐体を閉じた状態における外観上の隙間となってしまい、背板の縁の全周を覆い隠すことができないばかりか、この両方の逃げ寸法すなわち隙間がほこりなど異物が操作盤に侵入するのを許してしまい不具合であった。
【０００６】
従って、背板と内部の蝶番で連結した箱状の筐体を持つ操作盤は、背板の縁の全周囲を囲うような構造を採ることは出来なかった。
【０００７】
【課題を解決するための手段】
この発明は、壁面に取り付けられ、端部に延出部が設けられた背板と、この背板の前面を覆い、前記背板の延出部部分を延出部の板厚で切り欠いた切欠凹部と該切欠凹部以外の切り欠き残された筐体端部とを側板に有する筐体と、前記筐体を回動可能に前記背板と前記筐体とを連結する蝶番であって、前記筐体の側板の内側の切欠凹部近傍に固定された第１の蝶番板と前記背板の前面の延出部近傍に取り付けられた第２の蝶番板とを有し、前記側板の切欠凹部の外縁が前記延出部の上面を摺動することにより、前記筐体を前記背板に対して回動させる蝶番と、前記背板と前記筐体とを閉止状態に保持する固定手段と、で構成され、前記筐体が、前記筐体の閉止状態で、前記延出部を除いて前記背板の縁の全周を前記壁面との間の隙間が無い状態で覆い隠す操作盤であって、前記蝶番は、前記第２の蝶番板のねじ孔を前記背板に垂直に立てられたビスに挿通したものであって、前記筐体の開放過程で前記筐体が前記壁面に干渉しないように、前記ビスへのナットの固定位置によって、前記第２の蝶番板に前記背板の板厚方向に遊びを設けたものであり、前記背板は、前記筐体を全開させるとき、前記側板の筐体端部の縁に衝突することのない位置に、前記蝶番側の縁が退いて設けられているものであることを特徴としている。
【０００８】
また、前記背板と前記第２の蝶番板との間に、前記筐体を開く過程で前記筐体を押し上げる弾性体を介在させたことを特徴としている。
【０００９】
【発明の実施の形態】
実施の形態１．
図１は操作盤の閉止状態の外観を示す斜視図である。図２は操作盤の開閉過程を蝶番部において示した要部拡大縦断面図であり、（ａ）は閉止状態、（ｂ）は開け始めの状態、（ｃ）は蝶番の最高リフトの状態、（ｄ）は全開状態をそれぞれ示す。
【００１０】
図１及び図２により以下に実施の形態１の構成を説明する。
Ｗは壁面、１は壁面Ｗに取りつけられた操作盤、１１は矩形であって例えば四隅端部が部分的に延出したＨ字状の背板、１１ａは背板１１の前記部分的に延出させ壁面取付部とした各延出部、１１ｄは背板１１の縁、１１ｅは縁１１ｄの前方側の縁線である背板前縁、１１ｓは延出部１１ａの前方側の面である上面である。
【００１１】
１２は背板１１の延出部１１ａ部分を延出部１１ａの板厚で切り欠き、延出部１１ａを除いて背板１１の縁の全周を覆う筐体、１２ａは筐体１２の延出部１１ａ側の側板、１２ｂは側板１２ａであって背板１１の延出部１１ａ部分を延出部１１ａの板厚で切り欠き残された筐体端部、１２ｄは筐体端部１２ｂの縁であり、延出部１１ａにおける縦断面図である図２の（ｄ）に示されるように、筐体１２の全開時に背板１１の縁１１ｄは縁１２ｄに衝突することのない位置に設けられている。１２ｐは、筐体１２を開くとき側板１２ａが延出部１１ａの上面１１ｓと摺動する、筐体１２の上記切り欠きの切欠凹部外縁、１２ｒは縁１２ｄの下端内縁、１２ｑは縁１２ｄの下端外縁である。
【００１２】
筐体１２の閉止時には、後述するように、ねじなどの固定手段１７で筐体１２と背板１１とが固定されているため、切欠凹部外縁１２ｐと上面１１ｓの間及び下端外縁１２ｑと壁面Ｗの間の隙間はなくなる。
【００１３】
１３は背板１１の前面と側板１２ａの内側とで連結する、すなわち操作盤１の内部に取りつけられた蝶番、１３ａは側板１２ａ側に固定された蝶番１３の第１の蝶番板、１３ｂは背板１１側に取りつけられた蝶番１３の第２の蝶番板である。
【００１４】
図２において、１４は背板１１に垂直に立てられ蝶番板１３ｂの図示しないねじ孔に挿通するビス、１５はこのビス１４に螺入し所定の位置で接着固定したナット、Ｃは蝶番１３の軸芯である。
【００１５】
このナット１５の所定の位置は図２（ｃ）に示されるように、筐体１２の開放過程において蝶番１３が最も高くリフトされた時の高さが得られる位置以上の高さに固定される。例えば、筐体１２を開いていく際、蝶番１３の高さを決定するのは側板１２の背板１１（延出部１１ａ）との摺動点である切欠凹部外縁１２ｐの位置であり、この点１２ｐの位置が蝶番１３の軸芯Ｃの真下に来たとき蝶番１３の軸芯Ｃの高さが最も高く（最も背板１１から離れる）ことになり、それが可能な位置、例えば最高軸芯Ｃ位置において蝶番板１３ｂを背板１１に平行にしたときの高さに合わせてナット１５の位置を決め、蝶番板１３ｂに蝶番板１３ｂの板厚方向の遊びＦを設けて、ナット１５を金属接着剤等で固定する。
【００１６】
次に図２によって動作を説明する。
（ａ）の状態では、筐体１２は背板１１とねじなどの固定手段１７で蝶番の遊びＦ１によるがたつきがないように固定閉止されており、操作盤１が壁面Ｗに延出部１１を介して取りつけられた状態である。この時、背板１１の縁１１ｄは延出部１１ａを除いて全周が筐体１２にて覆い隠され、すなわち筐体１２が囲う背板１１の縁の全周が覆い隠されている。言いかえると、蝶番１３の近くの筐体端縁１２ｂによって壁面Ｗとの間の隙間がない状態で縁１１ｄが覆いかくされ、かつ延出部１１ａの上面１１ｓと切欠凹部外縁１２ｐとの間も隙間がない状態である。
【００１７】
背板１１と筐体１２との固定手段１７による固定は、どの位置で行ってもよいが、蝶番１３の遊びＦ１による筐体１２のがたつきがないように固定されている。
【００１８】
従って、美観は保たれ、ほこりなど異物が入らない。
【００１９】
次に、保守点検や設定変更など必要に応じて、壁面Ｗに取りつけられた操作盤１の筐体と背板との固定手段１７を解除する。
【００２０】
そして図２の（ｂ）のように、筐体１２が背板１１から自由にされてから筐体１２を開け始めると、切欠凹部外縁１２ｐが延出部１１ａの上面１１ｓを摺動していく。この時この下の下端外縁１２ｑは、側板１２ａが傾くので壁面Ｗに対して摺動することはない。
【００２１】
すると図２の（ｃ）に示されるように、蝶番１３の軸芯Ｃの高さは切欠凹部外縁１２ｐの摺動時の位置によって決定され、切欠凹部外縁１２ｐが軸芯Ｃの真下に位置するとき最も高く、すなわち軸芯Ｃと切欠凹部外縁１２ｐの距離だけリフトされる。ナット１５はそのときの位置に対応可能な高さに位置して固定されており、筐体１２の動きを妨げない。
【００２２】
その後、図２の（ｄ）に示すように、筐体１２を全開させるとき、背板１１の縁１１ｄが側板１２ａの縁１２ｄに衝突することのない位置に退いて逃げ寸法をとっているので、筐体１２の全開を妨げることはない。縁１１ｄが縁１２ｄに衝突しないためには、軸芯Ｃと背板前縁１１ｅとの距離が軸芯Ｃと下端外縁１２ｑとの距離よりも大きく設定するとよい。
【００２３】
筐体１２の閉止の際は、上記の逆の行程を踏み、筐体１２は壁面Ｗとの間で隙間なく閉止することができる。
【００２４】
なお、上記実施の形態では、筐体１２を閉止した状態における背板１１の縁１１ｄと側板１２ａとの水平距離すなわち逃げ寸法を、筐体１２の全開状態における側板１２ａの縁１２ｄの入り込む量だけとって、背板１１の縁１１ｄを後退して形成したが、これを、より小さな逃げ寸法に構成してもよい。この場合、側板１２ａと背板１１の衝突を回避するよう、背板前縁１２ｑの回動軌跡が背板前縁１１ｅと干渉しないようにナット１５の高さを高く設定する。筐体１２を開くときは、筐体１２を十分に持ち上げてから開くようにすると、ナット１５の高さが十分高く設定されているので背板前縁１２ｑが背板前縁１１ｅとの衝突を回避できるため、筐体１２を全開にすることができる。
【００２５】
上記逃げの寸法をゼロに選んでもよい。すると筐体端部１２ｂと背板１１の縁１１ｄとは、筐体１２の閉止状態で当接する構成となる。この場合上記と同様の方法でナット１５の高さを十分高く設定する。筐体１２を開くときは、まず筐体１２を十分に持ち上げてから開くようにすると、ナット１５の高さが十分高く設定されているので、筐体１２を全開にすることができる。
【００２６】
ところで、このように構成することによって、単に固定手段１７を外しても、筐体端部１２ｂと縁１１ｄとが衝突して開くことが出来ないので、一般の人が不要に開けることのないような構成となっている。
【００２７】
このような逃げ寸法が小さい場合の蝶番１３の背板１１の板厚方向への必要な遊びＦ１寸法は次のように決める。
【００２８】
図２（ｃ）に示されるように、ナット１５の位置は、筐体１２の開放過程において、蝶番１３軸芯Ｃからの距離が、筐体端部１２ｂで最も遠い下端外縁１２ｑと、背板１１の縁１１ｄで最も近い背板前縁１１ｅとを比べ、背板前縁１１ｅの方が長くなるように、側板１２ａ及び蝶番１３をリフトしたときの高さ位置に決める。このように蝶番板１３ｂに背板１１の板厚方向の遊びＦ１を設けるようにして、ナット１５の位置を決めた後、ナット１５を金属接着剤等で固定する。
【００２９】
以上のように、実施の形態１では、壁面に取り付けられる背板と、この背板の前面を覆う筐体と、筐体を回動可能に背板と筐体とを連結する連結具と、背板と筐体とを閉止状態に保持する固定手段とで構成される操作盤において、連結具を操作盤の内側に取り付け、筐体の閉止状態で筐体が囲う範囲の背板の縁の全周を筐体が覆い隠し、筐体の開放過程で筐体が背板および壁面に干渉しないよう連結具に遊びを設けるようにしたので、筐体を開く過程で、連結具の遊びを利用して筐体を浮かせることができるため、筐体の下端が壁面に衝突することなく筐体を開放させることが出来、また、連結具の遊びを利用して筐体を持ち上げて筐体と背板の衝突を回避できるため、筐体を開放させることが出来、また、連結具を操作盤の内側に取り付け、筐体が囲う範囲の背板の縁の全周を筐体が隙間なく覆い隠すため美観が保たれ、異物も入ることがないので信頼性の高い操作盤が得られる。
【００３０】
実施の形態２．
実施の形態１では背板１１に延出部１１ａを設けていたが、実施の形態２では延出部１１ａのない単なる矩形の背板を用いる。この場合は、延出部１１ａと上面１１ｓと切欠凹部外縁１２ｐが存在せず、他の符号は実施の形態１と同一の符号が用いられる。また、筐体１２を全開したとき側板１２ａが載置されるのは、上面１１ｓの代わりに壁面Ｗとなる。但し、側板１２ａが背板１１よりも薄ければ、側板１２ａは壁面Ｗに載置されずに少し浮く格好になる。
【００３１】
筐体１２を開く際、側板１２ａと壁面Ｗの衝突を回避するよう、背板前縁１２ｑの回動軌跡が壁面Ｗと干渉しないように、ナット１５の高さを高く設定する。すなわち、ナット１５の高さ位置は、蝶番１３を壁面Ｗから最も高く持ち上げた時の高さを、蝶番１３軸芯Ｃと下端外縁１２ｑとの距離よりも大きくできるように決める。
【００３２】
また、筐体１２を閉止した状態における背板１１の縁１１ｄと側板１２ａとの水平距離すなわち逃げ寸法を、筐体１２の全開状態における側板１２ａの縁１２ｄの入り込む量だけとって、背板１１の縁１１ｄを後退して形成する。すなわち、蝶番１３の軸芯Ｃと下端内縁１２ｒとの距離よりも、軸芯Ｃと背板前縁１１ｅとの距離の方が長くなるように形成する。
【００３３】
筐体１２を開くときは、ナット１５の高さが高く設定されているので蝶番１３が背板１１の板厚方向に逃げることができ、背板前縁１２ｑが壁面Ｗの上を摺動しながら開くことができる。背板１１の縁１１ｄは側板１２の縁１２ｄに対する逃げ寸法をとっているので、筐体１２を全開にすることができる。
【００３４】
なお、矩形の背板において、上記のような縁１１ｄの縁１２ｄに対する逃げ寸法をゼロにしてもよい。この場合は、筐体１２を全開したとき側板１２ａが載置されるのは、壁面Ｗの代わりに背板１１の上面となり、その他は実施の形態１における延出部１１ａのある場合の逃げ寸法ゼロの場合と同様である。
【００３５】
また、上記実施の形態１，２では、連結具の遊びを、背板１１に垂直に立てられたビス１４に蝶番板１３ｂを挿通させ、ナット１５の位置にて作っていたが、これを背板１１側の蝶番板１３ｂを固定し、測板１２ａ側の蝶番板１３ａのビス孔を背板１１の板厚方向に長孔に形成して遊びを作ってもよい。
【００３６】
また、上記実施の形態１，２では連結具として蝶番を用いたが、チェーンやリンク機構を用いてもよい。
【００３７】
実施の形態３．
図３は操作盤の全開状態の内部構造を示す説明図であり、一部の蝶番を取り除いた状態を示した説明図である。図４は操作盤の開閉過程を蝶番部において示した要部拡大縦断面図であり、（ａ）は閉止状態、（ｂ）は半開状態、（ｃ）は全開状態をそれぞれ示す。
【００３８】
図３及び図４により以下に実施の形態２の構成を説明する。
Ｗは壁面、２は壁面Ｗに取りつけられた操作盤、２１は矩形であって例えば四隅端部が部分的に延出したＨ字状の背板、２１ａは背板２１の前記部分的に延出させ壁面取付部とした各延出部、２１ｄは背板２１の縁、２１ｅは縁２１ｄの前方側の縁線である背板前縁、２１ｓは延出部２１ａの上面である。
【００３９】
２２は背板２１の延出部２１ａ部分を延出部２１ａの板厚で切り欠き、延出部２１ａを除いて背板２１の縁の全周を覆う筐体、２２ａは筐体２２の延出部２１ａ側の側板、２２ｂは側板２２ａであって背板２１の延出部２１ａ部分を延出部２１ａの板厚で切り欠き残された筐体端部、２２ｄは筐体端部２２ｂの縁であり、延出部２１ａのない背板２１の部分における縦断面図である図４の（ｂ）に示されるように、筐体２２の開放過程において背板２１の縁２１ｄは、側板２２ａを蝶番２３と共に持ち上げることにより、縁２２ｄが縁２１ｄをかわすことのできる位置に設けられている。２２ｐは筐体２が閉じているとき延出部２１ａの上面２１ｓに当接する側板２２ａの切欠凹部外縁であり、閉止時には後述するように図示しないねじなどの固定手段で筐体２２と背板２１とが固定されているため、上面２１ｓと切欠凹部外縁２２ｐの間の隙間はないようにしてある。
【００４０】
２３は背板２１の前面と側板２２ａの内側とで連結する、すなわち操作盤２の内部に取りつけられた蝶番であり、例えば市販のものを使用する。２３ａは側板２２ａ側に固定された蝶番２３の第１の蝶番板、２３ｂは背板２１側に取りつけられた蝶番２３の第２の蝶番板である。
【００４１】
２４は背板２１に垂直に立てられ蝶番２３の第２の板２３ｂの図示しないねじ孔に挿通するビス、２５はこのビス２４に螺入し所定の位置で接着固定されたナット、２６は背板２１と蝶番板２３ｂとの間に、例えばビス２５に貫通されて介在される弾性体、例えば弦巻バネや復元力の強いスポンジあるいはゴムの形成体などである。２７は背板２１に形成されたビス２４の挿通孔、Ｃは蝶番２３の軸芯である。
【００４２】
図４の（ａ）に示されるように、Ｌ１は筐体２２の閉止した状態における軸芯Ｃから側板２２ａの縁２２ｄまでの垂直距離、Ｌ２は筐体２２の閉止した状態における軸芯Ｃから背板２１の縁２１ｄまでの水平距離を示す。この距離Ｌ２がＬ１以上ならば、筐体２２の全開時に縁２２ｄは縁２１ｄに衝突することはない。
【００４３】
しかし、蝶番２３に市販品を用いれば背板２１の板厚の関係で、距離Ｌ２がＬ１未満のことがある。この場合は側板２２ａを蝶番２３と共に持ち上げて、上方に逃げ、縁２２ｄと縁２１ｄの衝突をかわす方法をとる。上方に逃げる際、蝶番２３を規制するナット２５の高さ位置を決める必要がある。
【００４４】
図４の（ｂ）に示されるように、ナット２５の所定の位置は、筐体２２の開放過程において、蝶番２３軸芯Ｃからの距離が、筐体端部２２ｂで最も遠い下端外縁２２ｑと、背板２１の縁２１ｄで最も近い背板前縁２１ｅとを比べ、背板前縁２１ｅの方が長くなるように、側板２２ａ及び蝶番２３をリフトしたときの高さ位置にナット２５が固定される。このように蝶番板２３ｂに板厚方向の遊びＦ２を設けるようにして、ナット２５の位置を決めた後、ナット２５を金属接着剤等で固定する。
【００４５】
次に図４によって動作を説明する。
（ａ）の状態では筐体２２は背板２１を図示しない固定手段で蝶番２３の遊びＦ２によるがたつきがないように固定閉止されており、例えば操作盤２が壁面Ｗなどに延出部２１ａで取りつけられた状態である。この時、背板２１の縁２１ｄは延出部２１ａを除いて全周が筐体２２にて覆い隠されて、蝶番２３の近くの筐体端縁２２ｂによっても壁面Ｗとの間の隙間がない状態で縁２１ｄは覆い隠され、かつ延出部２１ａの上面２１ｓと切欠凹部外縁２２ｐとの間も隙間がない状態である。従って通常時においては、美観は保たれ、ほこりなど異物が入らない。
【００４６】
次に、保守点検などの必要に応じて、壁面Ｗに取り付けられた操作盤２の図示しない固定手段を外し、筐体２２を背板２１から開くことができるようにする。
【００４７】
図４の（ｂ）に示すように筐体２２を開く過程で、筐体端部２２ｂの縁２２ｄが背板の縁２１ｄに引っ掛かりそうな時に、弾性体２６が蝶番板２３ｂを押し上げるので、また、ナット２５の高さ位置も十分に高く設定されているため、容易にかわすことができる。
【００４８】
図４の（ｃ）に示すように、その後、側板２２ａが延出部２１ａの上面２１ｓに重ねられ、筐体端部２２ｂは背板２１の上に重ねられ、筐体２２が９０度開いて全開する。
【００４９】
筐体２２の閉止の際は、上記の逆の行程を踏み、筐体２２を持ち上げて筐体端部２２ｂの縁２２ｄが背板２１の縁２１ｄをかわして筐体１２を閉じたあと、図示しない固定手段により筐体２２を背板２１に閉止固定する。この時、筐体２２が弾性体２６のために蝶番２３側が浮き上がる場合は、筐体２２を押圧して固定する。この閉止状態では、背板２１の縁２１ｄは延出部２１ａを除いて、筐体２２が囲う背板２１の縁２１ｄの全周が筐体２２にて覆い隠され、つまり筐体端縁２２ｂによって壁面Ｗとの間に隙間がない状態で縁２１ｄは覆い隠され、かつ延出部２１ａの上面２１ｓと切欠凹部外縁２２ｐとの間も隙間がない状態となる。
【００５０】
以上のような実施の形態３の構成により、壁面に取り付けられる背板と、この背板の前面を覆う箱状の筐体と、背板と筐体とを連結する蝶番と、背板と筐体とを閉止状態に保持する固定手段とで構成される操作盤において、蝶番が背板の前面と筐体の内側とで連結し、筐体の閉止状態で筐体が囲う範囲の背板の縁の全周を筐体が覆い隠し、背板側の蝶番板にはこの背板の板厚方向に遊びを設けるようにし、背板とこの背板側の蝶番板との間に弾性体を介在させたので、筐体が囲う範囲の背板の縁の全周や蝶番が外面から見えないため美観が保たれ、筐体が囲う背板の縁の全周を覆い隠すため異物も入ることがなく信頼性の高い操作盤が得られる。また、筐体を開く過程で筐体と背板の衝突を回避するために筐体を持ち上げる時に、弾性体により押し上げられるため、容易に開放させることが出来る。
【００５１】
また、筐体を開く過程で弾性体により筐体が押し上げられることから、実施形態１における延出部１１ａの上面１１ｓと筐体１２の切欠凹部外縁１２ｐのような摺動がなくなり、上面２１ｓなどの摺動面の塗装剥げ等の問題もなくなる。
【００５２】
なお、以上の実施の形態３では背板に延出部を設けていたが、単に矩形の背板であってもよい。
【００５３】
【発明の効果】
この発明にかかる操作盤の開閉構造は、壁面に取り付けられ、端部に延出部が設けられた背板と、この背板の前面を覆い、前記背板の延出部部分を延出部の板厚で切り欠いた切欠凹部と該切欠凹部以外の切り欠き残された筐体端部とを側板に有する筐体と、前記筐体を回動可能に前記背板と前記筐体とを連結する蝶番であって、前記筐体の側板の内側の切欠凹部近傍に固定された第１の蝶番板と前記背板の前面の延出部近傍に取り付けられた第２の蝶番板とを有し、前記側板の切欠凹部の外縁が前記延出部の上面を摺動することにより、前記筐体を前記背板に対して回動させる蝶番と、前記背板と前記筐体とを閉止状態に保持する固定手段と、で構成され、前記筐体が、前記筐体の閉止状態で、前記延出部を除いて前記背板の縁の全周を前記壁面との間の隙間が無い状態で覆い隠す操作盤であって、前記蝶番は、前記第２の蝶番板のねじ孔を前記背板に垂直に立てられたビスに挿通したものであって、前記筐体の開放過程で前記筐体が前記壁面に干渉しないように、前記ビスへのナットの固定位置によって、前記第２の蝶番板に前記背板の板厚方向に遊びを設けたものであり、前記背板は、前記筐体を全開させるとき、前記側板の筐体端部の縁に衝突することのない位置に、前記蝶番側の縁が退いて設けられているので、筐体が囲う背板の縁の全周や蝶番が外面から見えないため美観がよく、筐体が囲う背板の縁の全周を覆い隠すため異物も入ることがなく信頼性の高い操作盤が得られる。
また、筐体を開く過程で、蝶番の遊びを利用して筐体を浮かせることができるため、筐体の下端が壁面に衝突することなく筐体を開放させることが出来る。
また、筐体を全開させるとき、背板の縁が側板の縁に衝突することのない位置に退いて逃げ寸法をとっているので、筐体の全開を妨げることはない。
【００５４】
また、前記背板と前記第２の蝶番板との間に、前記筐体を開く過程で前記筐体を押し上げる弾性体を介在させた。これによって、筐体を開く過程で筐体と背板とが蝶番付近での衝突を回避するために筐体を持ち上げる時に、弾性体により筐体が押し上げられるため、容易に開くことが出来る操作盤が得られる。筐体を開く過程で弾性体により筐体が押し上げられることから、延出部の上面と筐体の切欠凹部外縁のような摺動がなくなり、上面などの摺動面の塗装剥げ等の問題もなくなる。
【図面の簡単な説明】
【図１】本発明の操作盤の外観を示す斜視図である。
【図２】操作盤の開閉過程を示す要部拡大縦断面図である。
【図３】操作盤の全開状態の内部構造を示す説明図である。
【図４】操作盤の開閉過程を示す要部拡大縦断面図である。
【符号の説明】
１、２は操作盤、１１、２１は背板、１１ａ、２１ａは延出部、１１ｄ、２１ｄは縁、１１ｅ、２１ｅは背板前縁、１１ｓ、２１ｓは上面、１２、２２は筐体、１２ａ、２２ａは側板、１２ｂ、２２ｂは筐体端部、１２ｄ、２２ｄは縁、１２ｐ、２２ｐは切欠凹部外縁、１２ｑ、２２ｑは下端外縁、１２ｒは下端内縁、１３、２３は蝶番、１３ａ、２３ａは第１の蝶番板、１３ｂ、２３ｂは第２の蝶番板、１４、２４はビス、１５、２５はナット、１７は固定手段、２６は弾性体、Ｃは軸芯、Ｆ１、Ｆ２は遊び、Ｌ１は垂直距離、Ｌ２は水平距離、Ｗは壁面である。
【図１】
0003859539.tif 000002
【図２】
0003859539.tif 000003
【図３】
0003859539.tif 000004
【図４】
0003859539.tif 000005